(57)【要約】【課題】  栓刃差込ユニットの逆組み付けを防止することができるテーブルタップを得る。【解決手段】  栓刃差込ユニット３の短辺側の側壁３ｃに、それの周方向の中心Ｃから一方に偏った位置に突起部３ｄを設けるとともに、栓刃差込ユニット３の逆組み付け時に、突起部３ｄと干渉して栓刃差込ユニット３の組み付けを不可とする逆組み付け検知部３０を設けることにより、テーブルタップ１の組み立て時に栓刃差込ユニット３を迅速に組み付けた場合にも、その逆組み付けを簡単に検知して迅速な組み込みが可能となり、ひいては、テーブルタップ１の生産性を向上することができる。【選択図】      図６
2007087893.tif 000002
【特許請求の範囲】
【請求項１】
ハウジングに形成した開口部に、複数の栓刃差込口を形成した栓刃差込ユニットを所定方向に組み込むテーブルタップにおいて、
前記栓刃差込ユニットの側壁に設けた突起部と、
前記栓刃差込ユニットを正規の組み付け姿勢とは逆の組み付け姿勢で組み込んだときに、前記突起部と干渉することで、逆組み付けを不可とする逆組み付け検知部と、
を備えることを特徴とするテーブルタップ。
【請求項２】
前記逆組み付け検知部を、ハウジング内部に設けた栓刃差込ユニットを嵌合保持する保持部に形成したことを特徴とする請求項１に記載のテーブルタップ。
【発明の詳細な説明】
【技術分野】
【０００１】
本発明は、ハウジングに組み込まれた栓刃差込ユニットを備えるテーブルタップに関する。
【背景技術】
【０００２】
テーブルタップは複数のコンセントを備え、電源コードから供給される電気をそれぞれのコンセントに差し込んだ複数のプラグから分岐して取り出すようになっている。
【０００３】
このとき、各コンセント部分の栓刃差込口は、テーブルタップのハウジングに形成した開口部から外方に臨ませて組み込まれる（例えば、特許文献１参照）。
【特許文献１】特開２００２−１８４５４１号公報（第４頁、第１図）
【発明の開示】
【発明が解決しようとする課題】
【０００４】
かかる従来のテーブルタップでは、各コンセントにそれぞれ二個づつの栓刃差込口が設けられている。
【０００５】
それら二個の栓刃差込口に関しては、栓刃差込口の長さを異ならせたもの（長い側：接地極）が一般に普及しており、複数の栓刃差込ユニットを備えるテーブルタップでは、接地極側を一方側に揃えて配置するのが一般的である。
【０００６】
しかしながら、栓刃差込ユニットの形状はそれら栓刃差込口の並設方向に対して略対称に形成される。
【０００７】
よって、テーブルタップの組み立て段階で、栓刃差込ユニットをハウジングの開口部に組み込む際に接地極を逆側とする姿勢で組み付けてしまうおそれがあり、そうすると、所期の機能を果たすことができなくなってしまう場合も考えられる。
【０００８】
したがって、栓刃差込ユニットの組み付け段階では、栓刃差込ユニットの正・逆方向を慎重に見極めつつ組み込む必要があり、その分、テーブルタップの迅速な組み立てが困難となって生産性が低下してしまう。
【０００９】
そこで、本発明は、栓刃差込ユニットの逆組み付けを防止することができるテーブルタップを得ることを目的とする。
【課題を解決するための手段】
【００１０】
請求項１の発明にあっては、ハウジングに形成した開口部に、複数の栓刃差込口を形成した栓刃差込ユニットを所定方向に組み込むテーブルタップにおいて、上記栓刃差込ユニットの側壁に設けた突起部と、上記栓刃差込ユニットを正規の組み付け姿勢とは逆の組み付け姿勢で組み込んだときに、上記突起部と干渉することで、逆組み付けを不可とする逆組み付け検知部と、を備えることを特徴とする。
【００１１】
請求項２の発明にあっては、上記逆組み付け検知部を、ハウジング内部に設けた栓刃差込ユニットを嵌合保持する保持部に形成したことを特徴とする。
【発明の効果】
【００１２】
請求項１の発明によれば、栓刃差込ユニットをハウジングに組み込む際に、その栓刃差込ユニットが逆組み付けされようとすると、栓刃差込ユニットの突起部が逆組み付け検知部に干渉して所定位置への組み込みが不可となり、以て、その逆組み付けを検知することができる。
【００１３】
したがって、テーブルタップの組み立て時に栓刃差込ユニットを迅速に組み付けた場合にもその逆組み付けを簡単に検知できるため、容易に正規の組み付け状態に戻して正しく組み立てることが可能となり、ひいては、栓刃差込ユニットを組み込む方向にさほどの注意を払う必要がなく、迅速な組み込みが可能となって生産性を向上することができる。
【００１４】
また、上記突起部は、栓刃差込ユニットの側壁の中心に対し栓刃差込ユニットの表面の周縁に沿っていずれか一方に偏らせた位置に設けてあるため、正規の組み付け姿勢と逆の組み付け姿勢とのより確実な検知性を得ることができるとともに、手作業で組み込む際に手によって突起部に触れた際の感触で栓刃差込ユニットの方向を瞬時に見極めることができ、この点からも逆組み付けを防止しつつ迅速なテーブルタップの組み立てが可能となる。
【００１５】
請求項２の発明によれば、請求項１の効果に加えて、上記逆組み付け検知部を栓刃差込ユニットを嵌合保持する保持部に設けたので、保持部を有効利用して逆組み付け検知部を構成して全体の構造を簡素化することができる。
【発明を実施するための最良の形態】
【００１６】
以下、本発明の実施形態について図面を参照しつつ詳細に説明する。
【００１７】
図１〜図５は本発明にかかるテーブルタップの一実施形態を示し、図１はテーブルタップの斜視図、図２はテーブルタップの分解斜視図であり、図３は栓刃差込ユニットの斜視図、図４は図１中Ａ−Ａ線に沿った拡大断面図である。
【００１８】
また、図５はテーブルタップ上面の栓刃差込ユニットの正規組み付け状態を示す外カバーを上下反転した状態の平面図、図６はテーブルタップ上面の栓刃差込ユニットの逆組み付け状態を（ａ）の外カバーを上下反転した平面図と（ｂ）のＤ−Ｄ線に沿った断面図とで示す説明図であり、図７はテーブルタップ先端の栓刃差込ユニットの正規組み付け状態を（ａ）の平面図と（ｂ）のＢ−Ｂ線に沿った断面図とで示す説明図、図８はテーブルタップ先端の栓刃差込ユニットの逆組み付け状態を（ａ）の平面図と（ｂ）のＣ−Ｃ線に沿った断面図とで示す説明図である。
【００１９】
本実施形態の組み立て構造が適用されるテーブルタップ１を図１，図２に示すが、そのテーブルタップ１を説明するにあたって、便宜上、図中上方を上の部材および上方位置、図中下方を下の部材および下方位置、そして、図中左・右方向を左・右位置として説明するが、特にそれら上・下および左・右の位置関係を特定するものでは無い。
【００２０】
テーブルタップ１は、図１に示すように、外カバー２Ａと外ボディ２Ｂとによって断面略矩形状の中空に形成されるハウジング２を備え、そのハウジング２の上面２ｃに、図外のプラグの栓刃を差し込む栓刃差込口３ａを形成した栓刃差込ユニット３がハウジング２の長さ方向に適宜間隔をもって複数（本実施形態では二個）設けられるとともに、ハウジング２の先端面２ｄにも１つの栓刃差込ユニット３が設けられる。
【００２１】
また、ハウジング２の上面２ｃの基端側（図２中向こう側）にはオン・オフ切換用のスイッチ１０が設けられ、このスイッチ１０の切り換えによって電源コード４から供給される電気が各栓刃差込ユニット３に通電および遮断されるようになっている。
【００２２】
テーブルタップ１の詳細な内部構造は、図２に示すように、上・下に分割された外カバー２Ａと外ボディ２Ｂとの間に、中ボディ５、刃受け６、栓刃差込ユニット３およびスイッチ１０が内蔵され、電源コード４がハウジング２に挿入される部分には防水ブッシング７が取付けられる。
【００２３】
外カバー２Ａは、下方が解放された浅い断面略逆Ｕ字状に形成され、それの上面２ｃには栓刃差込ユニット３の栓刃差込口３ａを上方に臨ませる開口部２Ａａが形成されるとともに、スイッチ１０を嵌め込んで取り付ける取付用開口部２Ａｂが形成される。また、外カバー２Ａの先端面２ｄにも栓刃差込ユニット３の栓刃差込口３ａを臨ませるＵ字状の切欠部２Ａｃが形成される。
【００２４】
外ボディ２Ｂは、上方が解放された浅い断面略Ｕ字状に形成され、それの長さ方向に複数（本実施形態では３本）の組立ネジ８を挿通するネジ取付孔２Ｂａが形成されるとともに、そのネジ取付孔２Ｂａに挿通した組立ネジ８を介して外カバー２Ａと外ボディ２Ｂとを結合するようになっている。また、外ボディ２Ｂの先端面２ｄには、外カバー２Ａの切欠部２Ａｃと合わせて矩形状の開口部を形成する切欠部２Ｂｃが形成される。
【００２５】
栓刃差込ユニット３は、図３に示すように、全体的に略直方体状を成し、その一面にはハウジング２の開口部２Ａａに嵌合する略矩形状の突出嵌合部３ｂが突設され、その突出嵌合部３ｂの先端面に２箇所の栓刃差込口３ａがハウジング２の幅方向に並設されている。
【００２６】
また、栓刃差込ユニット３は、本実施形態では、平面形状が略長方形を成し、短辺側の側壁３ｃの中央部に組み付け時の仮止め用の係止突起３ｅを突設してある。
【００２７】
さらに、図２に示すように、外ボディ２Ｂの内側には中ボディ５の側壁５ａおよび底面５ｂの外側形状に沿って切欠いたリブ２Ｂｂが長さ方向に複数突設され、それらリブ２Ｂｂによって中ボディ５を安定的に嵌合支持するようになっている。
【００２８】
さらに、外カバー２Ａおよび外ボディ２Ｂの基端側の壁面間には、電源コード４を取り込むための切欠き２Ｂｄ（外カバー２Ａの切欠きは隠れている）が形成され、それら切欠き２Ｂｄに電源コード４を挿通した防水ブッシング７の鍔部７ａが嵌合・係止される。
【００２９】
つまり、鍔部７ａは筒状に形成された防水ブッシング７の基部（図２中手前側）に形成されて、その外側形状が略矩形状となり、その鍔部７ａの外周に形成された溝部７ｂが切欠き２Ｂｄの周縁部に嵌め込まれることになる。このとき、外カバー２Ａの切欠きと外ボディ２Ｂの切欠き２Ｂｄとが合わさることにより、鍔部７ａの外側形状に沿った矩形状の開口部となる。
【００３０】
また、外カバー２Ａおよび外ボディ２Ｂの基端側の内側には、切欠き２Ｂｄの中央部近傍に電源コード４の２本のコード４ａ，４ｂを分離させるリブ２Ｂｅが突設（外カバー２Ａにあっても同様）されている。
【００３１】
中ボディ５は、刃受け６を保持するケースで、上方および先端（図２中左端側）が解放された断面Ｕ字状に形成され、その内側には刃受け６を嵌合保持するための複数の突起部５ｃが突設されるとともに、底面５ｂの中央部には組立ネジ８を挿通する開口部５ｄが形成されている。
【００３２】
刃受け６は、ハウジング２の幅方向（左右方向）に配置される２本の導電帯板６ａ，６ｂを備え、それら導電帯板６ａ，６ｂのそれぞれの中間部には、プラグの栓刃を弾発力をもって挟み込む刃受けばね６ｃが所定間隔をもって２箇所設けられるとともに、導電帯板６ａ，６ｂのそれぞれの先端部（図２中左端側）には同様の刃受けばね６ｃが一箇所設けられる。
【００３３】
そして、各刃受けばね６ｃは、栓刃差込ユニット３にそれぞれ２箇所設けた栓刃差込口３ａに配置される。尚、各栓刃差込ユニット３はそれぞれの栓刃差込口３ａに防水扉３ｇ（図４参照）が開閉自在に設けられて、防水構造となっている。
【００３４】
また、導電帯板６ａ，６ｂの基端部（図２中右端側）は、スイッチ１０に接続される接続端部６ｄ，６ｅとなっている。
【００３５】
スイッチ１０は、揺動操作される操作部１１と、この操作部１１の中央部を揺動可能に支持するスイッチケース１２とを備え、操作部１１の揺動操作でオン・オフされる、謂わゆるタンブラースイッチを構成しており、ハウジング２の取付用開口部２Ａｂから操作部１１を外方に臨ませて取り付けられる。
【００３６】
スイッチ１０には、図２中向こう側に電源コード４の２本のコード４ａ，４ｂが接続される図外の２つの入力端子と、図２中左端側に突出する２つの出力端子１３ａ，１３ｂが設けられ、操作部１１をオン操作、つまり、突部１１ａが設けられた側を下方に押すことにより、電源コード４から供給される電気を出力端子１３ａ，１３ｂに通電する一方、操作部１１をオフ操作することにより電源コード４から供給される電気を遮断して、出力端子１３ａ，１３ｂには通電されないようになっている。
【００３７】
出力端子１３ａ，１３ｂは、刃受け６のそれぞれ対応する接続端部６ｄ，６ｅに接続され、スイッチ１０のオン状態で各栓刃差込ユニット３が通電状態になる一方、スイッチ１０のオフ状態で各栓刃差込ユニット３が非通電状態となる。
【００３８】
このように構成されたテーブルタップ１の組み付けは、図４に示すように、外ボディ２Ｂに、刃受け６を保持した中ボディ５をセットするとともに、スイッチ１０をセットし、さらに外ボディ２Ｂの先端部の切欠部２Ｂｃ（図２参照）に栓刃差込ユニット３をセットする一方、外カバー２Ａの開口部２Ａａに栓刃差込ユニット３を仮止めするとともに、取付用開口部２Ａｂ（図２参照）の周縁部内側に防水パッキング２０の周縁部２０ａを仮止めしておき、その外カバー２Ａを外ボディ２Ｂの上方から被せて組立ネジ８によって外ボディ２Ｂと外カバー２Ａとを結合する。
【００３９】
このとき、栓刃差込ユニット３の開口部２Ａａへの仮止めは、図４に示すように、栓刃差込ユニット３の突出嵌合部３ｂを防水パッキング３ｈを介して開口部２Ａａに嵌合するとともに、外カバー２Ａの両側内方に設けた爪片２Ａｄを栓刃差込ユニット３の係止突起３ｅに係止するようになっている。
【００４０】
栓刃差込ユニット３は、図５に示すように、外カバー２Ａの内部において開口部２Ａａの周縁部に設けられる保持部としての横リブ２Ａｅ，２Ａｆによって嵌合保持される。このとき、横リブ２Ａｅ，２Ａｆは栓刃差込ユニット３の短辺側の側壁３ｃを保持する。
【００４１】
また、ハウジング２の先端面２ｄに形成された切欠部２Ａｃ，２Ｂｃ間に配置される栓刃差込ユニット３は、まず、図７に示すように、外ボディ２Ｂの切欠部２Ｂｃに栓刃差込ユニット３の突出嵌合部３ｂを嵌合して仮保持しておき、その状態で外カバー２Ａによって外ボディ２Ｂを覆うことにより、上下２つの切欠部２Ａｃ，２Ｂｄで形成した矩形状の開口部から栓刃差込ユニット３の栓刃差込口３ａを外方に臨ませるようにしてある。
【００４２】
このとき、栓刃差込ユニット３は、外ボディ２Ｂの内部に設けられた保持部としての横リブ２Ｂｆに短辺側の側壁３ｃが嵌合保持されるとともに、長辺側の側壁３ｆは外ボディ２Ｂの底部および外カバー２Ａの図外の底部に保持される。
【００４３】
もちろん、外ボディ２Ｂと外カバー２Ａとを結合した際、電源コード４はスイッチ１０に接続した状態で、それに挿通した防水ブッシング７とともに外カバー２Ａと外ボディ２Ｂとの基端部の切欠き２Ｂｄ間に挟着・固定される。
【００４４】
ここで、本実施形態では、図３に示すように、栓刃差込ユニット３の短辺側の側壁３ｃに、その中心Ｃに対し栓刃差込ユニット３の表面（栓刃差込口３ａが形成される面）の周縁に沿った一方側（周壁としての側壁３ｃの周方向一方側）に偏った位置に、突起部３ｄを設けるとともに、図６，図８に示すように、栓刃差込ユニット３の逆組み付け時に、突起部３ｄと干渉して栓刃差込ユニット３の組み付けを不可とするための逆組み付け検知部３０，３０Ａを設けてある。
【００４５】
一方の逆組み付け検知部３０は、図６に示すように、外カバー２Ａの開口部２Ａａの周縁部に設けた横リブ２Ａｅ，２Ａｆに設けるとともに、他方の逆組み付け検知部３０Ａは、図８に示すように、外ボディ２Ｂの切欠部２Ｂｃの近傍に設けた横リブ２Ｂｆに設けてある。
【００４６】
すなわち、前者の逆組み付け検知部３０を設けた横リブ２Ａｅ，２Ａｆは、図６に示すように、外カバー２Ａの幅方向にそれぞれが一対配置されるとともに、栓刃差込ユニット３の短辺側の側壁３ｃの両端部に位置し、丁度、突起部３ｄが正規組み付け状態および逆組み付け状態でそれぞれ位置する部位、つまり、側壁３ｃの中心Ｃに対して対称となる位置に横リブ２Ａｅ，２Ａｆが設けられており、逆組み付け検知部３０は、栓刃差込ユニット３の正規組み付け状態で突起部３ｄと干渉する側の横リブ２Ａｅに、その突起部３ｄを受け入れる切欠部３１を形成することにより構成してある。
【００４７】
一方、後者の逆組み付け検知部３０Ａを設けた横リブ２Ｂｆは、図８（ｂ）に示すように、外ボディ２Ｂの幅方向に一対配置され、その逆組み付け検知部３０Ａは、それぞれの横リブ２Ｂｆの間隔Ｌを栓刃差込ユニット３の長辺側の幅Ｗと略等しく形成することにより構成してある。
【００４８】
また、本実施形態では、図４に示すように、中ボディ５の幅方向（図中左右方向）の中央部に左右の刃受けばね６ｃを隔成する仕切壁５ｆを突設するとともに、中ボディ５の裏面（図中下面）中央部に仕切壁５ｆに沿った溝部５ｅを形成する一方、外ボディ２Ｂの底面からその溝部５ｅに係合するリブ２Ｂｆをハウジング２の長さ方向に突設することにより、左右の刃受けばね６ｃを隔離して、例えば水等の異物が侵入した場合にも短絡されてしまうのを抑制できるようになっている。
【００４９】
以上の構成により、本実施形態のテーブルタップ１の組み立て構造によれば、テーブルタップ１上面の栓刃差込ユニット３をハウジング２の外カバー２Ａの開口部２Ａａに組み込む際に、その栓刃差込ユニット３が逆組み付けされようとすると、図６（ａ），（ｂ）に示すように、栓刃差込ユニット３の突起部３ｄが横リブ２Ａｆに干渉して所定位置への組み込みが不可となり、その逆組み付けを検知できる。
【００５０】
また、テーブルタップ１先端の栓刃差込ユニット３をハウジング２の外ボディ２Ｂの切欠部２Ｂｃに組み込む際に、その栓刃差込ユニット３が逆組み付けされようとすると、図８（ａ），（ｂ）に示すように、栓刃差込ユニット３の突起部３ｄが横リブ２Ｂｆの上端に干渉して所定位置への組み込みが不可となり、その逆組み付けを検知することができる。
【００５１】
したがって、テーブルタップ１の組み立て時に栓刃差込ユニット３を迅速に組み付けた場合にも、その逆組み付けを逆組み付け検知部３０，３０Ａによって簡単に検知できるため、容易に正規の組み付け状態に戻して正確な組み立てが可能となり、ひいては、栓刃差込ユニット３の組み込む方向にさほど注意を払う必要がなく、迅速な組み込みが可能となって生産性を向上することができる。
【００５２】
また、突起部３ｄは、栓刃差込ユニット３の側壁３ｃの中心Ｃから周方向のいずれか一方に偏った位置に設けてあるため、手作業で組み込む際に手によって突起部３ｄに触れた際の感触で栓刃差込ユニット３の方向を瞬時に見極めることができ、この点からも逆組み付けを防止しつつ迅速なテーブルタップ１の組み立てが可能となる。
【００５３】
もちろん、図５および図７に示すように、栓刃差込ユニット３の正規の組み込み状態では、突起部３ｄは所定位置への組み込みが可能となる。
【００５４】
つまり、テーブルタップ１上面の栓刃差込ユニット３では、図５に示すように、突起部３ｄが横リブ２Ａｅに形成した切欠部３１に入り込むため、栓刃差込ユニット３は適正に組み込まれる。
【００５５】
また、テーブルタップ１先端の栓刃差込ユニット３では、図７（ｂ）に示すように、一対の横リブ２Ｂｆ間に突起部３ｄが設けられない側の側壁３ｃ端部が挿入するため、栓刃差込ユニット３は適正に組み込まれる。
【００５６】
さらに、本実施形態では、上記作用効果に加えて、逆組み付け検知部３０，３０Ａを栓刃差込ユニット３の保持部である横リブ２Ａｅ，２Ａｆおよび横リブ２Ｂｆに設けたので、その保持部を有効利用して逆組み付け検知部３０，３０Ａを構成できるため全体の構造を簡素化することができる。
【００５７】
ところで、本発明は上記実施形態に例をとって説明したが、この実施形態に限ることなく本発明の要旨を逸脱しない範囲で他の実施形態を各種採用することができ、例えば、栓刃差込ユニット３は直方体状に限ることなく他の立体形状とすることができ、また、保持部はリブに限ることなく栓刃差込ユニットを嵌合保持できる形状であればよい。
【図面の簡単な説明】
【００５８】
【図１】本発明の一実施形態におけるテーブルタップの斜視図。
【図２】本発明の一実施形態におけるテーブルタップの分解斜視図。
【図３】本発明の一実施形態における栓刃差込ユニットの斜視図。
【図４】図１中Ａ−Ａ線に沿った拡大断面図。
【図５】本発明の一実施形態におけるテーブルタップ上面の栓刃差込ユニットの正規組み付け状態を示す外カバーを上下反転した状態の平面図。
【図６】本発明の一実施形態におけるテーブルタップ上面の栓刃差込ユニットの逆組み付け状態を（ａ）の外カバーを上下反転した平面図と（ｂ）のＤ−Ｄ線に沿った断面図とで示す説明図。
【図７】本発明の一実施形態におけるテーブルタップ先端の栓刃差込ユニットの正規組み付け状態を（ａ）の平面図と（ｂ）のＢ−Ｂ線に沿った断面図とで示す説明図。
【図８】本発明の一実施形態におけるテーブルタップ先端の栓刃差込ユニットの逆組み付け状態を（ａ）の平面図と（ｂ）のＣ−Ｃ線に沿った断面図とで示す説明図。
【符号の説明】
【００５９】
１  テーブルタップ
２  ハウジング
２Ａ  外カバー
２Ａｅ，２Ａｆ  横リブ（保持部）
２Ｂ  外ボディ
２Ｂｆ  横リブ（保持部）
３  栓刃差込ユニット
３ｃ  側壁
３ｄ  突起部
３０，３０Ａ  逆組み付け検知部
【図１】
2007087893.tif 000003
【図２】
2007087893.tif 000004
【図３】
2007087893.tif 000005
【図４】
2007087893.tif 000006
【図５】
2007087893.tif 000007
【図６】
2007087893.tif 000008
【図７】
2007087893.tif 000009
【図８】
2007087893.tif 000010